(57)【要約】【課題】  維持管理を容易にし、ランニングコストの削減を図ることができる泡消火薬剤混合システムを得る。【解決手段】  水用のポンプ３で水が送り込まれる水配管４と泡消火薬剤用のポンプ８で泡消火薬剤が送り込まれる泡消火薬剤配管９とにオリフィス５，１０がそれぞれ設けられ、各オリフィス５，１０の一次側の水の圧力と泡消火薬剤の圧力が等圧力となるように制御され、各オリフィス５，１０を通った水と泡消火薬剤が混合配管１１で混合されて送り出される泡消火薬剤混合システムであって、各オリフィス５，１０の一次側の水配管４ａと泡消火薬剤配管９ａに圧力センサ１３，１４をそれぞれ設け、泡消火薬剤用のポンプ８に、各圧力センサ１３，１４の出力を入力として一次側の水の圧力と一次側の泡消火薬剤の圧力が一致するように泡消火薬剤用のポンプ８の回転数を制御するインバータ制御回路１７備えた。【選択図】    図１
2010069198.tif 000002
【特許請求の範囲】
【請求項１】
水用のポンプで水が送り込まれる水配管と泡消火薬剤用のポンプで泡消火薬剤が送り込まれる泡消火薬剤配管とにオリフィスがそれぞれ設けられ、前記各オリフィスの一次側の水の圧力と泡消火薬剤の圧力が等圧力となるように制御され、前記各オリフィスを通った前記水と泡消火薬剤が混合配管で混合されて送り出される泡消火薬剤混合システムであって、
前記各オリフィスの一次側の水配管と泡消火薬剤配管に圧力センサがそれぞれ設けられ、前記泡消火薬剤用のポンプには、前記各圧力センサの出力を入力として前記一次側の水の圧力と前記一次側の泡消火薬剤の圧力が一致するように前記泡消火薬剤用のポンプの回転数を制御するインバータ制御回路が備えられていることを特徴とする泡消火薬剤混合システム。
【請求項２】
前記水用のポンプには、前記一次側の水の圧力を設定する圧力設定手段と、前記オリフィスの一次側の水配管に設られた前記圧力センサの出力を入力として前記一次側の水の圧力が前記圧力設定手段で設定された圧力となるように前記水用のポンプの回転数を制御するインバータ制御回路が備えられていることを特徴とする請求項１に記載の泡消火薬剤混合システム。
【請求項３】
前記オリフィスの一次側の泡消火薬剤配管に、該泡消火薬剤配管に設けられた前記圧力センサの下流側に位置して、前記泡消火薬剤を収容する泡消火薬剤タンクと連通する循環バイパス管が接続され、更に前記オリフィスと循環バイパス管接続位置の間の泡消火薬剤配管には、試験用運転時に閉じ通常の運転時に開く試験用弁が設けられ、前記循環バイパス管には試験用運転時に開き通常の運転時に閉じる試験用弁が設けられていることを特徴とする請求項１または２に記載の泡消火薬剤混合システム。
【発明の詳細な説明】
【技術分野】
【０００１】
本発明は、泡消火設備において、水と泡消火薬剤とを所定の比率で混合する泡消火薬剤混合システムである。
【背景技術】
【０００２】
従来、泡消火設備において、水と泡消火薬剤とを所定の比率で混合する泡消火薬剤混合システムとして、等圧調合方式（プレッシャー・サイド・プロポーショナー）のものと、差圧調合方式（プレッシャー・プロポーショナー）のものとがある。（例えば、非特許文献１または特許文献１参照。）。
【０００３】
等圧調合方式の泡消火薬剤混合システムは、水と泡消火薬剤とが送り込まれる水配管と泡消火薬剤配管とにオリフィスをそれぞれ設け、前記各オリフィスの一次側の水の圧力と泡消火薬剤の圧力を等圧弁により等圧力となるように制御し、前記各オリフィスを通った前記水と泡消火薬剤を混合配管で混合するようになっている。
【０００４】
また、差圧調合方式の泡消火薬剤混合システムは、水と泡消火薬剤とが送り込まれる水配管と泡消火薬剤配管にオリフィスをそれぞれ設け、水配管に送り込まれた加圧水を、泡消火薬剤を蓄えた泡消火薬剤タンクに導入してその圧力で泡消火薬剤を加圧して泡消火薬剤配管に送り込み、前記各オリフィスを通った前記水と泡消火薬剤を混合配管で混合するようになっている。この差圧調合方式の泡消火薬剤混合システムとしては、泡消火薬剤タンク内にダイヤフラムを設置し、ダイヤフラム内に泡消火薬剤を収容し、泡消火薬剤タンク内でダイヤフラムの外側に圧力水を圧送してダイヤフラムを加圧し、内部の泡消火薬剤を泡消火薬剤配管に送り込むタイプのものと、泡消火薬剤タンク内に泡消火薬剤を直接収容し、泡消火薬剤タンク内の泡消火薬剤の上面に圧力水を圧送して泡消火薬剤を加圧して泡消火薬剤配管に送り込むタイプのものとがある。
【非特許文献１】平成１８年９月１５日に危険物保安技術協会から発行された「屋外タンク貯蔵所の泡消火設備の一般的な点検に係る講習テキスト  第２版」ｐ７３〜ｐ８０
【特許文献１】特開平６−２６２０５３号公報
【発明の開示】
【発明が解決しようとする課題】
【０００５】
しかしながら、等圧調合方式の泡消火薬剤混合システムでは、次のような問題点がある。
【０００６】
（ａ）等圧弁を長期間使用しないで放置すると、内部に残留した泡消火薬剤による内部部品の固着、また内部に残留した泡消火薬剤による腐食等で性能が低下し易い。
【０００７】
（ｂ）等圧弁の機能を点検する場合は、泡消火薬剤混合装置の泡消火設備を実際に運転する必要があり、その際に発生する多量の泡水溶液の産業廃棄物処理に多大の手間と莫大な費用がかかる。
【０００８】
一方、差圧調合方式の泡消火薬剤混合システムでは、次のような問題点がある。
【０００９】
（ａ）泡消火薬剤を収容する泡消火薬剤タンクは圧力容器にする必要があり、高価である。
【００１０】
（ｂ）泡消火設備の動作中に泡消火薬剤を補充できず、消火活動に手間取った場合、継続して消火活動を行うには、別の手段（消防自動車等）で対応する必要がある。また、泡消火薬剤タンク内にダイヤフラムを収容して、このダイヤフラムの中に泡消火薬剤を入れて外側から加圧水で加圧するタイプのものでは、ダイヤフラムの中に泡消火薬剤をポンプで圧送充填するが、その際、ダイヤフラムを傷めるおそれがあるため、非常に神経を使う。
【００１１】
（ｃ）泡消火薬剤タンク内にダイヤフラムを収容した泡消火薬剤混合システムの場合には、泡消火薬剤タンク内のダイヤフラムが膨らんでいるのか、萎んでいるのか、泡消火薬剤タンクの外からは確認できないため、従来行われている液面計測による泡消火薬剤の充填量の確認では信頼性が低く、泡消火薬剤の貯蔵量の管理が困難である。また、システムの始動時や停止時に水配管側で発生するウォーターハンマーによりダイヤフラムが破損するおそれがある。
【００１２】
（ｄ）泡消火薬剤タンク内にダイヤフラムを収容した泡消火薬剤混合システムの場合、ダイヤフラムはゴム製のため、短期間に劣化し易く、ダイヤフラムの寿命が短い。新たにダイヤフラムを交換するための購入費、交換費用等でランニングコストが高い。
【００１３】
本発明の目的は、維持管理を容易にし、ランニングコストの削減を図ることができる泡消火薬剤混合システムを提供することにある。
【課題を解決するための手段】
【００１４】
上記の目的を達成するために、請求項１に記載の発明は、水用のポンプで水が送り込まれる水配管と泡消火薬剤用のポンプで泡消火薬剤が送り込まれる泡消火薬剤配管とにオリフィスがそれぞれ設けられ、前記各オリフィスの一次側の水の圧力と泡消火薬剤の圧力が等圧力となるように制御され、前記各オリフィスを通った前記水と泡消火薬剤が混合配管で混合されて送り出される泡消火薬剤混合システムであって、前記各オリフィスの一次側の水配管と泡消火薬剤配管に圧力センサがそれぞれ設けられ、前記泡消火薬剤用のポンプには、前記各圧力センサの出力を入力として前記一次側の水の圧力と前記一次側の泡消火薬剤の圧力が一致するように前記泡消火薬剤用のポンプの回転数を制御するインバータ制御回路が備えられていることを特徴とする。
【００１５】
請求項２に記載の発明は、請求項１に記載の、前記水用のポンプには、前記一次側の水の圧力を設定する圧力設定手段と、前記オリフィスの一次側の水配管に設られた前記圧力センサの出力を入力として前記一次側の水の圧力が前記圧力設定手段で設定された圧力となるように前記水用のポンプの回転数を制御するインバータ制御回路が備えられていることを特徴とする。
【００１６】
請求項３に記載の発明は、請求項１または２に記載の、前記オリフィスの一次側の泡消火薬剤配管に、該泡消火薬剤配管に設けられた前記圧力センサの下流側に位置して、前記泡消火薬剤を収容する泡消火薬剤タンクと連通する循環バイパス管が接続され、更に前記オリフィスと循環バイパス管接続位置の間の泡消火薬剤配管には、試験用運転時に閉じ通常の運転時に開く試験用弁が設けられ、前記循環バイパス管には試験用運転時に開き通常の運転時に閉じる試験用弁が設けられていることを特徴とする。
【発明の効果】
【００１７】
請求項１に記載の泡消火薬剤混合システムによれば、前記各オリフィスの一次側の水配管と泡消火薬剤配管に圧力センサがそれぞれ設けられ、前記泡消火薬剤用のポンプには、前記各圧力センサの出力を入力として前記一次側の水の圧力と前記一次側の泡消火薬剤の圧力が一致するように前記泡消火薬剤用のポンプの回転数を制御するインバータ制御回路が備えられているので、オリフィスの一次側の水配管における水の圧力と常に同じ圧力をもって泡消火薬剤をオリフィスの一次側の泡消火薬剤配管に送り込むことができる。
【００１８】
そして、インバータ制御回路により前記泡消火薬剤用のポンプの回転数を制御してオリフィスの一次側の水配管における水の圧力と常に同じ圧力をもって泡消火薬剤をオリフィスの一次側の泡消火薬剤配管に送り込むので、従来の等圧調合方式の泡消火薬剤混合システムにおける等圧弁の必要がなくなり、また、差圧調合方式の泡消火薬剤混合システムを採用する必要もなくなることから、等圧調合方式の泡消火薬剤混合システムや差圧調合方式の泡消火薬剤混合システムにおける問題点が解消できる。
【００１９】
請求項２に記載の泡消火薬剤混合システムによれば、請求項１に記載の、前記水用のポンプには、前記一次側の水の圧力を設定する圧力設定手段が備えられ、前記オリフィスの一次側の水配管に設られた前記圧力センサの出力を入力として前記一次側の水の圧力が前記圧力設定手段で設定された圧力となるように前記水用のポンプの回転数を制御するインバータ制御回路が備えられているので、圧力設定手段により前記一次側の水の圧力を設定することにより、放水量を容易に制御することができ、例えば、消火状況に応じて、即時に放水量を制御することが可能となる。
【００２０】
請求項３に記載の泡消火薬剤混合システムによれば、請求項１または２に記載の、前記オリフィスの一次側の泡消火薬剤配管に、該泡消火薬剤配管に設けられた前記圧力センサの下流側に位置して、前記泡消火薬剤を収容する泡消火薬剤タンクと連通する循環バイパス管が接続され、更に前記オリフィスと循環バイパス管接続位置の間の泡消火薬剤配管には、試験用運転時に閉じ通常の運転時に開く試験用弁が設けられ、前記循環バイパス管には試験用運転時に開き通常の運転時に閉じる試験用弁が設けられているので、前記圧力センサ、前記インバータ制御回路、前記ポンプ等の機能点検のために試験運転をする場合、泡消火薬剤配管に設けた試験用弁を閉じ、前記循環バイパス管に設けた試験用弁を開いて運転することにより、泡消火薬剤タンクから泡消火薬剤配管に送り出された泡消火薬剤は、循環バイパス管に流れ泡消火薬剤タンクに戻され、泡消火薬剤タンク、泡消火薬剤配管、循環バイパス管を循環することになるので水と泡消火薬剤が接触せず、従来の試験運転で多大な手間と莫大なコストが掛かっていた産業廃棄処理しなければならない泡水溶液の発生を無くすことができ、また泡消火薬剤の無駄な消費を無くすことができる。
【発明を実施するための最良の形態】
【００２１】
以下、本発明に係る泡消火薬剤混合システムを実施するための最良の形態を、図面に示す実施例にて詳細に説明する。
【００２２】
図１は、本発明に係る泡消火薬剤混合システムの第１実施例の構成を示す概略的な説明図である。
【００２３】
本例の泡消火薬剤混合システムでは、水１は水源水槽２に貯蔵されていて、水用のポンプ３で汲み上げられて水配管４に送り込まれるようになっている。水用のポンプ３は、水を汲み上げるロータよりなる汲み上げ機構３ａと、これを回転させるモータ３ｂとで構成されている。水配管４には水用のオリフィス５が設けられている。
【００２４】
また、泡消火薬剤６は、泡消火薬剤タンク７に貯蔵されていて、泡消火薬剤用のポンプ８で汲み上げられて泡消火薬剤配管９に送り込まれるようになっている。泡消火薬剤用のポンプ８は、泡消火薬剤６を汲み上げる汲み上げ機構８ａと、これを回転させるモータ８ｂとで構成されている。泡消火薬剤配管９には、泡消火薬剤用のオリフィス１０が設けられている。
【００２５】
水用のオリフィス５の二次側の水配管４ａと泡消火薬剤用のオリフィス１０の二次側の泡消火薬剤配管９ａには、水用のオリフィス５を通った水１と泡消火薬剤用のオリフィス１０を通った泡消火薬剤６を混合する混合配管１１が接続され、混合配管１１の先端部には水１と泡消火薬剤６の混合液を吐出する吐出部１２が設けられている。
【００２６】
水用のオリフィス５の一次側の水配管４ｂには、一次側の水配管４ｂ内における水１の圧力を検出する圧力センサ１３が設けられ、泡消火薬剤用のオリフィス１０の一次側の泡消火薬剤配管９ｂには、一次側の泡消火薬剤配管９ｂ内における泡消火薬剤６の圧力センサ１４が設けられている。
【００２７】
そして、泡消火薬剤用のポンプ８のモータ８ｂには、圧力センサ１３，１４と信号線１５，１６を介して接続され、圧力センサ１３，１４の出力を入力として一次側の水配管４ｂ内の水１の圧力と一次側の泡消火薬剤配管９ｂ内の泡消火薬剤６の圧力が一致するように泡消火薬剤用のポンプ８の回転数、即ちモータ８ｂの回転数を制御するインバータ制御回路１７が備えられている。
【００２８】
上記のように構成された第１実施例の泡消火薬剤混合システムでは、水用のポンプ３のモータ３ｂの駆動により水源水槽２に貯蔵されている水１が汲み上げられて水配管４に圧送され、泡消火薬剤用のポンプ８のモータ８ｂの駆動により泡消火薬剤タンク７に貯蔵されている泡消火薬剤６が汲み上げられて泡消火薬剤配管９に圧送され、そして、水用のオリフィス５の一次側の水配管４ｂ及び泡消火薬剤用のオリフィス１０の一次側の泡消火薬剤配管９ｂに設けられている圧力センサ１３，１４が、一次側の水配管４ｂ内の水１の圧力及び一次側の泡消火薬剤配管９ｂ内の泡消火薬剤６の圧力を検出する。
【００２９】
圧力センサ１３，１４から出力する圧力信号は信号線１５，１６を介してインバータ制御回路１７に入力される。圧力センサ１３，１４から一次側の水配管４ｂ内の水１の圧力及び一次側の泡消火薬剤配管９ｂ内の泡消火薬剤６の圧力が入力されたインバータ制御回路１７は、一次側の水配管４ｂ内の水１の圧力と一次側の泡消火薬剤配管９ｂ内の泡消火薬剤６の圧力が一致するように泡消火薬剤用のポンプ８の回転数、即ちモータ８ｂの回転数を制御する。
【００３０】
これにより、水用のオリフィス５の一次側の水配管４ｂにおける水１の圧力と常に同じ圧力をもって泡消火薬剤６を泡消火薬剤用のオリフィス１０の一次側の泡消火薬剤配管９ｂに送り込むことができる。
【００３１】
そして、インバータ制御回路１７により泡消火薬剤用のポンプ８の回転数を制御して水用のオリフィス５の一次側の水配管４ｂにおける水１の圧力と常に同じ圧力をもって泡消火薬剤６を泡消火薬剤用のオリフィス１０の一次側の泡消火薬剤配管９ｂに送り込むので、従来の等圧調合方式の泡消火薬剤混合システムにおける等圧弁の必要がなくなり、また、差圧調合方式の泡消火薬剤混合システムを採用する必要もなくなる。
【００３２】
図２は、本発明に係る泡消火薬剤混合システムの第２実施例の構成を示す概略的な説明図である。同図において、図１に示した第１実施例と対応する部分に同一符号をつけて、第１実施例と対応する部分の構成の説明を省略する。
【００３３】
本例では、水用のポンプ３のモータ３ｂに、水用のオリフィス５の一次側の水配管４ｂの水の圧力を設定する圧力設定手段１８と、一次側の水配管４ｂに設けられている圧力センサ１３と信号線１９を介して接続され、圧力センサ１３の出力を入力として一次側の水配管４ｂ内の水１の圧力が圧力設定手段１８で設定された圧力となるように水用のポンプ３の回転数、即ちモータ３ｂの回転数を制御するインバータ制御回路２０が備えられている。圧力設定手段１８は任意に設定した圧力をインバータ制御回路２０に入力するものであり、その構成にあっては特に限定されない。その他の構成は第１実施例と同様なので、第１実施例の説明を援用する。
【００３４】
上記のように構成された第２実施例の泡消火薬剤混合システムでは、圧力設定手段１８により一次側の水配管４ｂの水の圧力を設定すると、圧力センサ１３から一次側の水配管４ｂ内の水１の圧力が入力されたインバータ制御回路２０は、圧力設定手段１８により入力されている圧力と一次側の水配管４ｂ内の水１の圧力とが一致するように水用のポンプ３の回転数、即ちモータ３ｂの回転数を制御する。
【００３５】
このように、圧力設定手段１８で一次側の水配管４ｂの水の圧力を設定することにより、必要な放水量を容易に求めることができ、また、消火状況等に応じて、一次側の水配管４ｂの水の圧力を変更することにより、即時に放水量を制御することが可能となる。  また、このようにして一次側の水配管４ｂにおける水の圧力に変更があっても、圧力センサ１３，１４から一次側の水配管４ｂ内の水１の圧力及び一次側の泡消火薬剤配管９ｂ内の泡消火薬剤６の圧力が入力されたインバータ制御回路１７により、一次側の水配管４ｂ内の水１の圧力と一次側の泡消火薬剤配管９ｂ内の泡消火薬剤６の圧力が一致するように泡消火薬剤用のポンプ８の回転数、即ちモータ８ｂの回転数が制御されるので、水用のオリフィス５の一次側の水配管４ｂにおける水１の圧力と同じ圧力をもって泡消火薬剤６を泡消火薬剤用のオリフィス１０の一次側の泡消火薬剤配管９ｂに送り込むことができ、常に所定の比率で混合した水１と泡消火薬剤６の混合液を吐出部１２から吐出させることができる。その他の効果は、第１実施例と同様なので、第１実施例の説明を援用する。
【００３６】
図３は、本発明に係る泡消火薬剤混合システムの第３実施例の構成を示す概略的な説明図である。同図において、図２に示した第２実施例と対応する部分に同一符号をつけて第２実施例と対応する部分の構成の説明を省略する。
【００３７】
本例では、泡消火薬剤用のオリフィス１０の一次側の泡消火薬剤配管９ｂに、該泡消火薬剤配管９ｂに設けられた圧力センサ１４の下流側に位置して、泡消火薬剤６を収容する泡消火薬剤タンク７と連通する循環バイパス管２１が接続されている。
【００３８】
また、一次側の泡消火薬剤配管９ｂには、泡消火薬剤用のオリフィス１０を設けた位置と循環バイパス管２１を接続した位置の間に、試験用運転時に閉じ通常の運転時に開く試験用弁２２が設けられ、循環バイパス管２１には試験用運転時に開き通常の運転時に閉じる試験用弁２３が設けられている。試験用弁２２，２３にあっては、本例では電磁弁が用いられ、電磁弁からなる試験用弁２２，２３には、試験用弁制御配線２４を介して本例の運転動作を試験用運転モードと通常運転モードとに切り換える運転制御回路２５と接続しており、運転制御回路２５で、試験用運転モードと通常運転モードとを切り換えることにより、試験用弁２２，２３が自動的に前記開閉動作をするようになっている。
【００３９】
また、試験用弁２２，２３の前記開閉動作にあっては、試験用運転時と通常運転時に手動により試験用弁２２，２３を前記のように開閉するようにしてもよい。その他の構成は第２実施例と同様なので、第２実施例の説明を援用する。
【００４０】
上記のように構成された第３実施例の泡消火薬剤混合システムでは、圧力センサ１３，１４、インバータ制御回路１７，２０、水用のポンプ３、泡消火薬剤用のポンプ８等の機能点検のために試験運転をする場合、次のようにして行われる。
【００４１】
試験用の運転は、一次側の泡消火薬剤配管９ｂに設けた試験用弁２２を閉じ、循環バイパス管２１に設けた試験用弁２３を開いて運転する。
【００４２】
運転により、水用のポンプ３により水１を水配管４に圧送していること、泡消火薬剤用のポンプ８により泡消火薬剤６を泡消火薬剤配管９に圧送していること、そして、水用のオリフィス５の一次側の水配管４ｂ及び泡消火薬剤用のオリフィス１０の一次側の泡消火薬剤配管９ｂに設けられている圧力センサ１３，１４が、一次側の水配管４ｂ内の水１の圧力及び一次側の泡消火薬剤配管９ｂ内の泡消火薬剤６の圧力を検出し、それぞれの圧力を信号線１５，１６を介してインバータ制御回路１７に入力していること、一次側の水配管４ｂ内の水１の圧力及び一次側の泡消火薬剤配管９ｂ内の泡消火薬剤６の圧力が入力されたインバータ制御回路１７が、一次側の水配管４ｂ内の水１の圧力と一次側の泡消火薬剤配管９ｂ内の泡消火薬剤６の圧力が一致するように泡消火薬剤用のポンプ８の回転数、即ちモータ８ｂの回転数を制御し、水用のオリフィス５の一次側の水配管４ｂにおける水１の圧力と同じ圧力となるように泡消火薬剤６を泡消火薬剤用のオリフィス１０の一次側の泡消火薬剤配管９ｂに送り込むこと、といったことが正常に行われているか、即ち、圧力センサ１３，１４、インバータ制御回路１７，２０、水用のポンプ３、泡消火薬剤用のポンプ８等が正常に機能しているかの点検を行う。
【００４３】
かかる試験用の運転は、前記のように一次側の泡消火薬剤配管９ｂに設けた試験用弁２２を閉じ、循環バイパス管２１に設けた試験用弁２３を開いて運転するので、泡消火薬剤タンク７から一次側の泡消火薬剤配管９ｂに送りだされた泡消火薬剤６は、泡消火薬剤用のオリフィス１０の手前で循環バイパス管２１に流れて泡消火薬剤タンク７に戻され、泡消火薬剤タンク７、一次側の泡消火薬剤配管９ｂ、循環バイパス管２１を循環することになる。
【００４４】
これにより、水１と泡消火薬剤６が接触せず、従来の試験運転で多大な手間と莫大なコストが掛かっていた産業廃棄処理しなければならない泡水溶液の発生を無くすことができ、また泡消火薬剤の無駄な消費を無くすことができることになる。
【００４５】
なお、本例は第２実施例をベースとして実施しているが、第１実施例をベースとしても実施できる。
【図面の簡単な説明】
【００４６】
【図１】本発明に係る泡消火薬剤混合システムの第１実施例の構成を示す概略的な説明図である。
【図２】本発明に係る泡消火薬剤混合システムの第２実施例の構成を示す概略的な説明図である。
【図３】本発明に係る泡消火薬剤混合システムの第３実施例の構成を示す概略的な説明図である。
【符号の説明】
【００４７】
１  水
２  水源水槽
３  水用のポンプ
３ａ  汲み上げ機構
３ｂ  モータ
４  水配管
４ａ  二次側の水配管
４ｂ  一次側の水配管
５  水用のオリフィス
６  泡消火薬剤
７  泡消火薬剤タンク
８  泡消火薬剤用のポンプ
８ａ  汲み上げ機構
８ｂ  モータ
９  泡消火薬剤配管
９ａ  二次側の泡消火薬剤配管
９ｂ  一次側の泡消火薬剤配管
１０  泡消火薬剤用のオリフィス
１１  混合配管
１２  吐出部
１３、１４  圧力センサ
１５、１６  信号線
１７  インバータ制御回路
１８  圧力設定手段
１９  信号線
２０  インバータ制御回路
２１  循環バイパス管
２２、２３  試験用弁
２４  試験用弁制御配線
２５  運転制御回路
【図１】
2010069198.tif 000003
【図２】
2010069198.tif 000004
【図３】
2010069198.tif 000005